(57)【要約】【課題】ベッド用マットレスにおいて、コイルコンストラクションと表地及び詰物との結合、さらには分離を、容易に行えるようにする。【解決手段】一方側に前記ボーダーワイヤーＭａを弾性変形しながら受け入れると共に、受け入れ終了位置における弾性復帰によりこのボーダーワイヤーＭａに留め付くクランプ部１を有すると共に、他方側に集合体Ｍｂの水平面部Ｍｂａを覆う表地Ｓａの縁部に連接されたフランジ状生地Ｓａ’、及びこの表地Ｓａと集合体Ｍｂの水平面部Ｍｂａとの間に納められる詰物Ｓｂの縁部に対する取り付け部２を備えたクリップＣを有している。このクリップＣを介して前記コイルコンストラクションＭと前記表地Ｓａ及び前記コイルコンストラクションＭと前記詰物Ｓｂとの結合をなしている。【選択図】図４
2013094532.tif 000002
【特許請求の範囲】
【請求項１】
ポケットコイル又はオープンコイルの集合体と、輪郭を四角形状とするこの集合体の水平面部を縁取るボーダーワイヤーとを備えてなるコイルコンストラクションを主体とするベッド用マットレスであって、
一方側に前記ボーダーワイヤーを弾性変形しながら受け入れると共に、受け入れ終了位置における弾性復帰によりこのボーダーワイヤーに留め付くクランプ部を有すると共に、
他方側に前記集合体の水平面部を覆う表地の縁部に連接されたフランジ状生地、及びこの表地と集合体の水平面部との間に納められる詰物の縁部に対する取り付け部を備えたクリップを有しており、
このクリップを介して前記コイルコンストラクションと前記表地及び前記コイルコンストラクションと前記詰物との結合をなすようにしていることを特徴とするベッド用マットレス。
【請求項２】
クリップは、ボーダーワイヤーに沿って取り付けられる長さを備えたベースを有し、
このベースの一方側にクランプ部が備えられると共に、このベースの他方側にこのベースの長さ方向に亘って形成された溝状部によって取り付け部が形成されており、
前記溝状部の入り口は奥側より狭くなっており、この溝状部の入り口を弾性的に押し広げながらこの溝状部内に、フランジ状生地又は詰物の縁部を先にして前記ベースと共にクリップを構成するリテーナ体を嵌め込むようになっていることを特徴とする請求項１に記載のベッド用マットレス。
【請求項３】
ベースは、その一方側にその長さ方向に亘って形成された溝状部を有しており、この溝状部の入り口は奥側より狭くなっていると共に、
クリップは、この溝状部の入り口よりやや大きく且つ奥側に納まる大きさの基部と、ボーダーワイヤーの挟持部とを備えたクランプ体を有しており、
前記ベースの溝状部にクランプ体の基部を納めることによりクリップにクランプ部が形成されるようになっていることを特徴とする請求項２に記載のベッド用マットレス。
【請求項４】
クランプ部は、上側挟持片と下側挟持片とからなり両者の間にボーダーワイヤーを受け入れる挟持部を有すると共に、上側挟持片は下側挟持片よりも長く、この上側挟持片における下側挟持片の先端よりも先に突き出す箇所が集合体の水平面部に接するようになっていることを特徴とする請求項１〜請求項３のいずれか１項に記載のベッド用マットレス。
【発明の詳細な説明】
【技術分野】
【０００１】
この発明は、ポケットコイル又はオープンコイルの集合体を主体として構成されたベッド用のマットレスの改良に関する。
【背景技術】
【０００２】
複数のポケットコイルＰ、Ｐ…（特許文献１参照）を寄せ集めてなる、輪郭を四角形状とする上下の水平面部Ｍｂａを備えた集合体Ｍｂを、マットレスの主体としてなるベッド用のマットレスがある。
【０００３】
かかるマットレスにあっては、前記集合体Ｍｂの上下にそれぞれ、金属製の線材からなるボーダーワイヤＭａーが取り付けられ、この集合体ＭｂとボーダーワイヤーＭａとによってコイルコンストラクションＭが構成される。かかるボーダーワイヤーＭａは水平面部Ｍｂａを縁取るように配されると共に、ポケットコイルＰを構成する圧縮コイルスプリングＰａを納めた生地Ｐｂに対し金属リングＲを利用して取り付けられる。（図９）
【０００４】
また、前記集合体Ｍｂの水平面部Ｍｂａは表地Ｓａ（パネルなどと称される。）によって覆われるとと共に、この表地Ｓａと水平面部Ｍｂａとの間にはマット状をなす詰物Ｓｂが納められる。表地Ｓａの縁部にはその全周にフランジ状生地Ｓａ’が備えられており、表地ＳａはコイルコンストラクションＭに対し前記ボーダーワイヤーＭａを内側に通すようにした前記金属リングＲを前記フランジ状生地Ｓａ’に止め付けることで取り付けられている。また、前記詰物ＳｂもコイルコンストラクションＭに対し前記ボーダーワイヤーＭａを内側に通すようにした前記金属リングＲをこの詰物Ｓｂの縁部に止め付けることで取り付けられている。（図９）
【０００５】
このため、かかるマットレスを製造するにあたっては、前記金属リングＲの止め付けをなすために専用の工具と設備とを必要とすると共に、表地Ｓａを張り替えるといったマットレスの修理も簡単にはなし得ないところであった。また、マットレスの廃棄にあたっても、コイルコンストラクションＭ側と表地Ｓａ及び詰物Ｓｂ側とを分離し難いため、これを適正に分別処理するのに相応の労力を要するところであった。
【０００６】
なお、かかる事情は、複数のオープンコイルを寄せ集めてマットレスの主体を構成してなるベッド用のマットレスでも同様である。
【先行技術文献】
【特許文献】
【０００７】
【特許文献１】特開２００１−２８９２７６号公報
【発明の概要】
【発明が解決しようとする課題】
【０００８】
この発明が解決しようとする主たる問題点は、この種のポケットコイル又はオープンコイルを使用して構成されたベッド用マットレスにおいて、コイルコンストラクションと表地及び詰物との結合、さらには分離を、容易に行えるようにする点にある。
【課題を解決するための手段】
【０００９】
前記課題を達成するために、この発明にあっては、ベッド用マットレスを、ポケットコイル又はオープンコイルの集合体と、輪郭を四角形状とするこの集合体の水平面部を縁取るボーダーワイヤーとを備えてなるコイルコンストラクションを主体とするベッド用マットレスであって、
一方側に前記ボーダーワイヤーを弾性変形しながら受け入れると共に、受け入れ終了位置における弾性復帰によりこのボーダーワイヤーに留め付くクランプ部を有すると共に、
他方側に前記集合体の水平面部を覆う表地の縁部に連接されたフランジ状生地、及びこの表地と集合体の水平面部との間に納められる詰物の縁部に対する取り付け部を備えたクリップを有しており、
このクリップを介して前記コイルコンストラクションと前記表地及び前記コイルコンストラクションと前記詰物との結合をなすものとした。
【００１０】
前記クリップは、前記クランプ部に前記弾性変形によりボーダーワイヤーを留め付けることで前記集合体側と表地及び詰物側とを結合させることから、第一に、かかる結合は特別な工具などを用いなくとも適切になすことができ、コイルコンストラクションを主体としたマットレスを容易に製造することが可能となる。また、第二に、前記クランプ部からのボーダーワイヤーの取り外しは前記留め付けを解く力をもって、すなわち、ボーダーワイヤーの受け入れ時と同じ程度のクランプ部の弾性変形が生じる力でクランプ部からボーダーワイヤーが抜け出される向きにクリップを引っ張るなどすることにより、この場合も特別な工具などを用いなくてもなすことができ、コイルコンストラクションと前記表地及び詰物とを容易に分離することができる。
【００１１】
前記クリップを、ボーダーワイヤーに沿って取り付けられる長さを備えたベースを有し、
このベースの一方側にクランプ部が備えられると共に、このベースの他方側にこのベースの長さ方向に亘って形成された溝状部によって取り付け部を備えたものとし、
さらに、前記溝状部の入り口は奥側より狭くなっており、この溝状部の入り口を弾性的に押し広げながらこの溝状部内に、フランジ状生地又は詰物の縁部を先にして前記ベースと共にクリップを構成するリテーナ体を嵌め込むようにしておくこともある。
【００１２】
このようにした場合、クリップに対する表地のフランジ状生地の取り付け、および、詰物の取り付け状態は、前記溝状部からリテーナ体を抜き出すことで解くことができ、したがって、クリップから表地のみを事後的に取り外すことも容易になすことができる。これにより、マットレスの表地の交換修理も容易になすことができる。
【００１３】
この場合さらに、ベースは、その一方側にその長さ方向に亘って形成された溝状部を有したものとし、この溝状部の入り口を奥側より狭く構成させると共に、
クリップが、この溝状部の入り口よりやや大きく且つ奥側に納まる大きさの基部と、ボーダーワイヤーの挟持部とを備えたクランプ体を有したものとし、
前記ベースの溝状部にクランプ体の基部を納めることによりクリップにクランプ部が形成されるようにしておくこともある。
【００１４】
このようにした場合、ベースに対しクランプ体は、ベースの端部から、前記溝状部の入り口より挟持部を突き出させるようにした向きで、この溝状部内に基部を入れ込みベースの長さ方向に沿ってクランプ体をスライド移動することで、ベースの長さ方向の所望の位置に取り付けることができる。
【００１５】
また、前記クランプ部は、上側挟持片と下側挟持片とからなり両者の間にボーダーワイヤーを受け入れる挟持部を有すると共に、上側挟持片は下側挟持片よりも長く、この上側挟持片における下側挟持片の先端よりも先に突き出す箇所が集合体の水平面部に接するようにしておくこともある。
【００１６】
このようにした場合、コイルコンストラクションにクリップを取り付けた状態において、クリップの取り付け部となる溝状部がその入り口を外方に向けるようにクリップの姿勢を維持させることができ、その後の取り付け部へのフランジ状生地などの前記リテーナ体を利用した取り付けをスムースに行なうことができる。
【発明の効果】
【００１７】
この発明にかかるベッド用マットレスにあっては、これを構成するコイルコンストラクションと表地及び詰物との結合、並びに両者の分離を、特別の工具などを要することなく容易に行なうことができる。
【図面の簡単な説明】
【００１８】
【図１】図１は実施の形態にかかるマットレスの分解斜視構成図である。
【図２】図２は実施の形態にかかるマットレスの要部をその一部を破断して示した斜視図である。
【図３】図３は実施の形態にかかるマットレスを構成するコイルコンストラクションの上側に取り付けられるボーダーワイヤー、クリップ、表地、および詰物を、ポケットコイルの記載を省略して示した縦断面図である。
【図４】図４は実施の形態にかかるマットレスを構成するコイルコンストラクションの上側に取り付けられるボーダーワイヤー、クリップ、表地、および詰物を、ポケットコイルの記載を省略して示した縦断面図であり、図３と異なる位置でこれらを断面にして示している。
【図５】図５は実施の形態にかかるクリップの分解斜視図である。
【図６】図６は実施の形態にかかるクリップを構成するベースの正面図（ａ図）及び左側面図（ｂ図）である。
【図７】図７は実施の形態にかかるクリップを構成するリテーナ体の正面図（ａ図）及び左側面図（ｂ図）である。
【図８】図８は実施の形態にかかるクリップを構成するクランプ体の正面図（ａ図）及び左側面図（ｂ図）である。
【図９】図９は従来のマットレスの要部をその一部を破断して示した斜視図である。
【発明を実施するための形態】
【００１９】
以下、図１〜図８に基づいて、この発明の典型的な実施の形態について、説明する。この実施の形態にかかるベット用マットレスは、複数のポケットコイルＰ、Ｐ…を寄せ集めたもの、つまり、かかるポケットコイルＰの集合体Ｍｂをその主体として構成されたものである。
【００２０】
具体的には、この実施の形態にあっては、図１に示されるように、複数のポケットコイルＰ、Ｐ…を並行配列させて、前記集合体Ｍｂを構成させている。ポケットコイルＰは、圧縮コイルスプリングＰａを圧縮させた状態で、ポケットに納めてなる。図示の例では、かかるポケットコイルＰは、圧縮コイルスプリングＰａを納めた複数のポケットを、隣り合うポケット同士が納められた圧縮コイルスプリングＰａの側部側において繋がった状態で、連続的に備えてなる。かかるポケットコイルＰは、筒状にした生地Ｐｂ、典型的には合成樹脂製繊維より構成される不織布からなる生地Ｐｂ内に圧縮コイルスプリングＰａを一つずつ納めながら、この筒状の生地Ｐｂに対し一つずつの圧縮コイルスプリングＰａの両側においてそれぞれその幅方向に沿った溶着部（図示は省略する。）を形成させることで、構成されている。すなわち、ポケットコイルＰは、筒状にした前記生地Ｐｂに対してその長さ方向において隣り合う溶着部との間に間隔を開けて施された複数のこの溶着部によって区分された各空間（すなわち前記ポケット）内にそれぞれ圧縮コイルスプリングＰａを一つずつ納めてなる。典型的には、各圧縮コイルスプリングＰａは同寸同形であり、各ポケットは略同じ大きさとなっている。前記隣り合うポケット同士は前記溶着部において繋がっている。したがってまた、各ポケットに納められた各圧縮コイルスプリングＰａはいずれもスプリング巻回軸を前記筒状の生地の幅方向に沿わせている。図１に示される例では、このように構成される複数のポケットコイルＰ、Ｐ…を、構成されるマットレスの厚さ方向に圧縮コイルスプリングＰａのスプリング巻回中心軸が沿うように並行配列させ、隣り合うポケットコイルＰ同士をその側面において接着させ合わせることにより、前記集合体Ｍｂを構成させている。
【００２１】
かかる集合体Ｍｂは、寄せ集められたポケットコイルＰの上端部により構成される輪郭を四角形状とする上側の水平面部Ｍｂａと、寄せ集められたポケットコイルＰの下端部により構成される輪郭を四角形状とする下側の水平面部Ｍｂａと、寄せ集められたポケットコイルＰのうちの外側に位置されるポケットコイルＰの側面により構成される前記上下の水平面部Ｍｂａ、Ｍｂａ間に亘る厚さ側面部Ｍｂｂとを備えてなる。
【００２２】
かかる集合体Ｍｂの上側の水平面部Ｍｂａ及び下側の水平面部Ｍｂａはそれぞれ、ボーダーワイヤーＭａにより縁取られている。かかるボーダーワイヤーＭａは、典型的には、金属の線材から構成され、前記水平面部Ｍｂａの輪郭に沿った四角形の枠状を呈している。かかるボーダーワイヤーＭａは、金属リングＲによって、前記集合体Ｍｂを構成するポケットコイルＰのうちの外側に位置されるポケットコイルＰの生地Ｐｂに止め付けられている。すなわち、Ｃ字状をなす金属リングＲの内側にボーダーワイヤーＭａを通すようにした状態でこの金属リングＲの開放端を前記生地Ｐｂに刺し込んだ後にこの金属リングＲを屈曲させてこの金属リングＲの開放箇所を閉じることで、ボーダーワイヤーＭａを集合体Ｍｂに取り付けさせている。前記集合体Ｍｂと、このようにかかる集合体Ｍｂに取り付けられるボーダーワイヤーＭａとによってマットレスの主体となるコイルコンストラクションＭが構成されている。
【００２３】
かかるコイルコンストラクションＭにおける前記集合体Ｍｂの上下の水平面部Ｍｂａ、Ｍｂａはそれぞれ、表地Ｓａによって覆われる。また、この表地Ｓａと集合体Ｍｂの水平面部Ｍｂａとの間には、詰物Ｓｂが納められる。さらに、前記集合体Ｍｂの厚さ側面部ＭｂｂはボーダーＳｃと称される生地によって覆われる。このボーダーＳｃの上縁部は上側の表地Ｓａの縁部に止着され、このボーダーＳｃの下縁部は下側の表地Ｓａの縁部に止着され、マットレスが構成される。
【００２４】
前記表地Ｓａはパネルなどとも称され、図示の例では、かかる表地Ｓａをキルティングによって構成させている。表地Ｓａの縁部には、その全周に亘って、フランジ状生地Ｓａ’が備えられている。図示の例では、かかるフランジ状生地Ｓａ’は前記表地Ｓａにおける水平面部Ｍｂａ側に位置される内面と一体をなすと共に、前記集合体Ｍｂの水平面部Ｍｂａを表地Ｓａで覆ったときにこの集合体Ｍｂの厚さ側面部Ｍｂｂの外方に延び出すようになっている。
【００２５】
詰物Ｓｂは典型的にはマット状をなし、プラスチックフォーム材や不織布などが用いられる。図示の例では、表地Ｓａと集合体Ｍｂの水平面部Ｍｂａとの間に一枚の詰物Ｓｂが納められているが、二枚以上の詰物Ｓｂが納められる場合もある。
【００２６】
この実施の形態にかかるマットレスにあっては、クリップＣを介して前記コイルコンストラクションＭと前記表地Ｓａとの結合と、このコイルコンストラクションＭと前記詰物Ｓｂとの結合をなすようにしている。
【００２７】
かかるクリップＣは、一方側に前記ボーダーワイヤーＭａを弾性変形しながら受け入れると共に、受け入れ終了位置における弾性復帰によりこのボーダーワイヤーＭａに留め付くクランプ部１を有する。それと共に、かかるクリップＣは、他方側、図示の例では、前記クランプ部１の形成側と反対となる側に、前記表地Ｓａの縁部に連接されたフランジ状生地Ｓａ’、及び、前記詰物Ｓｂの縁部に対する取り付け部２を備えている。
【００２８】
かかるクリップＣは、一定の長さを有し、前記クランプ部１にはボーダーワイヤーＭａがその側方から前記弾性変形により嵌め込まれるようになっている。典型的には、前記四角形の枠状をなすボーダーワイヤーＭａの各辺において、二以上のクリップＣを用いて前記結合がなされる。
【００２９】
かかるクリップＣは、前記クランプ部１に前記弾性変形によりボーダーワイヤーＭａを留め付けることで前記集合体Ｍｂ側と表地Ｓａ及び詰物Ｓｂ側とを結合させることから、第一に、かかる結合は特別な工具などを用いなくとも適切になすことができ、コイルコンストラクションＭを主体としたマットレスを容易に製造することが可能となる。また、第二に、前記クランプ部１からのボーダーワイヤーＭａの取り外しは前記留め付けを解く力をもって、すなわち、ボーダーワイヤーＭａの受け入れ時と同じ程度のクランプ部１の弾性変形が生じる力でクランプ部１からボーダーワイヤーＭａが抜け出される向きにクリップＣを引っ張るなどすることにより、この場合も特別な工具などを用いなくてもなすことができ、コイルコンストラクションＭと前記表地Ｓａ及び詰物Ｓｂとを容易に分離することができる。
【００３０】
この実施の形態にあっては、かかるクリップＣは、ボーダーワイヤーＭａに沿って取り付けられる長さを備えたベース３を有し、このベース３の一方側にクランプ部１が備えられると共に、このベース３の他方側にこのベース３の長さ方向に亘って形成された溝状部３０によって前記取り付け部２を形成させている。かかる溝状部３０の入り口は奥側より狭くなっている。そして、この溝状部３０の入り口を弾性的に押し広げながらこの溝状部３０内に、フランジ状生地Ｓａ’又は詰物Ｓｂの縁部を先にしてリテーナ体４を嵌め込むようになっている。
【００３１】
また、この実施の形態にあっては、前記ベース３は、その一方側にその長さ方向に亘って形成された溝状部３１を有しており、この溝状部３１の入り口は奥側より狭くなっている。また、クリップＣは、この溝状部３１の入り口よりやや大きく且つ奥側に納まる大きさの基部５０と、ボーダーワイヤーＭａの挟持部５１とを備えたクランプ体５を有している。そして、前記ベース３の溝状部３１にクランプ体５の基部５０を納めることによりクリップＣにクランプ部１が形成されるようになっている。
【００３２】
すなわち、この実施の形態にあっては、クリップＣは、前記ベース３、リテーナ体４及びクランプ体５とから構成されている。図示の例では、一つのベース３と、二つのクランプ体５、５と、三つのリテーナ体４…４とから一組のクリップＣが構成されるようになっている。（図５）
【００３３】
図示の例では、ベース３は、その幅方向の断面を、その長さ方向に亘る各位置において、同一とした形状を有している。したがって、かかるベース３はプラスチックの押出成形により適切に生成できるようになっている。
【００３４】
かかるベース３は、上側水平板部３２と、下側水平板部３３と、この両者間を連結する垂直板部３４とを有している。各板部３２、３３、３４の肉厚は略等しい。また、垂直板部３４の上端は上側水平板部３２の左右端間においてこの上側水平板部３２の下面に一定に連接され、垂直板部３４の下端は下側水平板部３３の左右端間においてこの下側水平板部３３の上面に一体に連接されている。
【００３５】
かかる上側水平板部３２の左右端にはそれぞれ下方に突き出す凸条部３２ａが形成されていると共に、下側水平板部３３の左右端にもそれぞれ上方に突き出す凸条部３３ａが形成されている。これにより、ベース３は、その一方側に前記クランプ体５の取り付けられる溝状部３１（以下、内方側の溝状部３１と称する。）を有すると共に、その他方側に前記取り付け部２となる溝状部３０（以下、外方側の溝状部３０と称する。）を有するようになっている。図示の例では、内方側の溝状部３１よりも外方側の溝状部３０の方が入り口（上下の凸条部３２ａ、３３ａ間の間隙）から奥（垂直板部３４）までの寸法が大きくなっている。この各凸条部３２ａ、３３ａの外面（垂直板部３４に向き合わない側）には凸条部３２ａ、３３ａの先端に向かうに連れてこれらの凸条部３２ａ、３３ａの左右寸法を小さくさせる傾斜面３２ｂ、３３ｂが形成されており、内方側の溝状部３１に後述のようにクランプ体５の基部５０を弾性的に嵌め込む際、および、外方側の溝状部３０に後述のようにリテーナ体４を弾性的に嵌め込む際の、後述の弾性変形がスムースになされるようになっている。
【００３６】
また、図示の例では、前記リテーナ体４は、長さと幅とを有し、また、その幅方向の断面を長さ方向に亘る各位置において同一とした、略長方形の板状を呈している。
【００３７】
かかるリテーナ体４の長さはベース３の長さよりも短く、一方、かかるリテーナ体４の幅はベース３の外方側の溝状部３０の入り口の上下寸法よりもやや大きいが、これより奥側の溝状部３０の上下寸法よりも小さくなっている。また、かかるリテーナ体４の厚さは、外方側の溝状部３０の入り口から奥までの寸法よりも小さくなっている。
【００３８】
かかるリテーナ体４は、その長さ方向をベース３の長さ方向に沿わせた状態で、その一面側を先にしてベース３の外方側の溝状部３０内に前記のように嵌め込まれるようになっている。リテーナ体４の一面側であって、その上側には、リテーナ体４の上縁に向かうに連れてリテーナ体４の厚さ寸法を漸減させる傾斜面４０が形成されており、また、リテーナ体４の一面側であって、その下側にも、リテーナ体４の下縁に向かうに連れてリテーナ体４の厚さ寸法を漸減させる傾斜面４０が形成されている。リテーナ体４の幅寸法、つまり、かかる上縁と下縁との間の距離はベース３の外方側の溝状部３０の入り口の上下寸法より大きいが、かかる傾斜面４０により前記嵌め込み時にはこの外方側の溝状部３０の入り口は徐々に弾性的に押し広げられ、この嵌め込みの容易化が図られている。
【００３９】
図示の例では、かかるリテーナ体４の一面の上下方向中程の位置には凹条部４１が形成されていると共に、かかるリテーナ体４の他面にはこの凹条部４１の形成位置においてリテーナ体４の厚さを減じさせないようにする膨出部４２が形成されている。かかる膨出部４２にはリテーナ体４の長さ方向に沿ったローレット面４３が形成されており、この膨出部４２を押圧部として前記嵌め込みをなす場合にこのローレット面４３が滑り止めとして機能するようになっている。
【００４０】
図示の例では、前記ベース３の外方側の溝状部３０の底、つまり垂直板部３４に、この垂直板部３４の上下方向中程の位置に凸条３５が形成されており、この外方側の溝状部３０にフランジ状生地Ｓａ’又は詰物Ｓｂの縁部を先にしてリテーナ体４を嵌め込んだときに、リテーナ体４の前記凹条部４１とこの凸条３５とによって外方側の溝状部３０に押し込まれたフランジ状生地Ｓａ’などが屈曲されて、クリップＣの取り付け部２に強固にかかるフランジ状生地Ｓａ’などが取り付けられるようになっている。（図３、図４）
【００４１】
フランジ状生地Ｓａ’は詰物Ｓｂの縁部の外側に位置されることから、フランジ状生地Ｓａ’の取り付け箇所では詰物Ｓｂの縁部も一緒に前記外方側の溝状部３０内に押し込まれるようになっている。（図４）
【００４２】
また、図示の例では、前記クランプ体５の基部５０は、ベース３よりも長さの短い、略長方形の板状を呈している。
【００４３】
クランプ体５の挟持部５１は、かかる基部５０の一面側に形成されている。かかる挟持部５１は上側挟持片５１ａと下側挟持片５１ｃとからなり両者の間にボーダーワイヤーＭａを受け入れるようになっている。上側挟持片５１ａの根本外面と下側挟持片５１ｃの根本の外面との間の距離は、内方側の溝状部３１の入り口の寸法と略等しく、一方、基部５０の幅寸法、つまり、基部５０の上縁と下縁との間の距離は、ベース３の上側水平板部３２の内面と下側水平板部３３の内面との間の距離と略等しくなっている。ベース３に対しクランプ体５は、ベース３の端部にある内方側の溝状部３１の入り口から、この内方側の溝状部３１の入り口より挟持部５１を突き出させるようにした向きで、この内方側の溝状部３１内に基部５０を入れ込みベース３の長さ方向に沿ってクランプ体５をスライド移動することでベース３の長さ方向の所望の位置に取り付けることができるようになっている。
【００４４】
なお、図示の例では、かかるクランプ体５の基部５０の他面側であって、その上側には、この基部５０の上縁に向かうに連れて基部５０の厚さ寸法を漸減させる傾斜面５０ａが形成されており、また、この基部５０の他面側であって、その下側にも、この基部５０の下縁に向かうに連れて基部５０の厚さ寸法を漸減させる傾斜面５０ａが形成されている。図示の例では、基部５０の幅寸法はベース３の内方側の溝状部３１の入り口の上下寸法より大きいが、かかる傾斜面５０ａによりこの内方側の溝状部３１の入り口を徐々に弾性的に押し広げながらクランプ体５の基部５０をこの内方側の溝状部３１に嵌め込むこともできるようになっている。
【００４５】
また、図示の例では、クランプ体５の基部５０の他面側であって、その上下方向略中程の位置には、基部５０の長さ方向に沿った凸条５０ｂが形成されている。この凸条５０ｂとクランプ体５の基部５０の一面との間の距離は、内方側の溝状部３１の底とこの底に向き合う前記凸条部３２ａ、３３ａの内面と略等しく、これによりベース３にクランプ体５はフリーストップ可能で且つがたつき無く取り付けられるようになっている。
【００４６】
前記挟持部５１を構成する上側挟持片５１ａはクランプ体５の基部５０の一面に対し略直交する向きに突き出す庇状をなすと共に、この基部５０の全長に亘って形成されている。上側挟持片５１ａは下側挟持片５１ｃよりも長くなっていると共に、その先端側は下方に向けて屈曲されて垂下部５１ｂが形成されている。
【００４７】
一方、下側挟持片５１ｃは、ボーダーワイヤーＭａの幅方向の断面形状に倣った仮想の円の円弧に略沿うようにクランプ体５の基部５０の一面より突き出し、その先端と上側挟持片５１ａの下面との間にボーダーワイヤーＭａの直径よりもやや狭いこのボーダーワイヤーＭａの受入口５１ｄを形成させている。この下側挟持片５１ｃも基部５０の全長に亘って形成されている。
【００４８】
したがって、この実施の形態にあっては、クランプ体５も、前記基部５０の幅方向の断面をその長さ方向に亘る各位置において同一としている。
【００４９】
また、図示の例では、上側挟持片５１ａの根本内面から下側挟持片５１ｃの先端までに亘る箇所５１ｅは基部５０の一面を含めてボーダーワイヤーＭａの幅方向の断面形状に倣った仮想の円の円弧に略沿うように形成されている。
【００５０】
この実施の形態にあっては、かかる上側挟持片５１ａにおける下側挟持片５１ｃの先端よりも先に突き出す箇所、図示の例では前記垂下部５１ｂが、ボーダーワイヤーＭａをクランプ部１に受け入れた状態において、前記集合体Ｍｂの水平面部Ｍｂａに接するようになっている。これにより、この実施の形態にあっては、コイルコンストラクションＭにクリップＣを取り付けた状態において、クリップＣの取り付け部２となる溝状部３０がその入り口を外方に向けるようにクリップＣの姿勢を維持させることができ、その後の取り付け部２へのフランジ状生地Ｓａ’などの前記リテーナ体４を利用した取り付けをスムースに行えるようになっている。
【００５１】
クリップＣに対する表地Ｓａのフランジ状生地Ｓａ’の取り付け、および、詰物Ｓｂの取り付け状態は、外方側の溝状部３０からリテーナ体４を抜き出すことで解くことができ、したがって、クリップＣから表地Ｓａのみを事後的に取り外すことも容易になすことができる。これにより、マットレスの表地Ｓａの交換修理も容易になすことができる。
【００５２】
なお、図示は省略するが、以上に説明したクリップＣは、コイルコンストラクションをオープンコイルの集合体から構成してなるマットレスにおけるボーダーワイヤーと表地及び詰物との取り付けにも利用可能である。
【符号の説明】
【００５３】
Ｍ  コイルコンストラクション
Ｍａ  ボーダーワイヤー
Ｍｂａ  水平面部
Ｓａ  表地
Ｓａ’  フランジ状生地
Ｓｂ  詰物
Ｃ  クリップ
１  クランプ部
２  取り付け部
【図１】
2013094532.tif 000003
【図２】
2013094532.tif 000004
【図３】
2013094532.tif 000005
【図４】
2013094532.tif 000006
【図５】
2013094532.tif 000007
【図６】
2013094532.tif 000008
【図７】
2013094532.tif 000009
【図８】
2013094532.tif 000010
【図９】
2013094532.tif 000011